(57)【要約】【課題】シート状の内容物を収納した包装袋において、手の力の弱い人あるいは手がうまく動かせない人でも１動作で確実に容易に開封することができる易開封性包装袋を提案するもの。【解決手段】基材層２１とアルミニウム箔層２２とシーラント層２３を有する表裏面積層体のシーラント層同士が対向し、左右両側端部のサイドシール部３、４と、上端部のトップシール部２と、下端部のボトムシール部５とによって形成された収納部６を有する四方シール包装袋であって、いずれか一つのシール部に２つの開封開始部７ａ、７ｂを有し、一方の開封開始部から出発して表裏面の積層体を収納部６の外周に沿って該シール部と直角方向に進み、円弧を描いて該シール部と平行な方向に進み、さらに円弧を描いて該シール部と直角な方向に戻り、前記の他方の開封開始部に至るハーフカット線からなる開封誘導線８、９を有することを特徴とする包装袋である。【選択図】図１
2020083350.tif 000002
【特許請求の範囲】
【請求項１】
それぞれ基材層とアルミニウム箔層とシーラント層を有する表面積層体と裏面積層体のシーラント層同士を対向させ、左右両側端部を熱シールした一対のサイドシール部と、上端部を熱シールしたトップシール部と、下端部を熱シールしたボトムシール部とによって形成された収納部を有する四方シール包装袋であって、
いずれか一つのシール部に２つの開封開始部を有し、そのいずれか一方の開封開始部から出発して表裏面の積層体を収納部の外周に沿って該シール部と直角方向に進み、円弧を描いて該シール部と平行な方向に進み、さらに円弧を描いて該シール部と直角な方向に戻り、前記の他方の開封開始部に至るハーフカット線からなる開封誘導線を有することを特徴とする包装袋。
【請求項２】
基材層とアルミニウム箔層とシーラント層を有する積層体を縦方向の折曲線に沿って折り曲げてシーラント層同士を対向させ表裏面の積層体となし、側端部を熱シールしたサイドシール部と、上端部を熱シールしたトップシール部と、下端部を熱シールしたボトムシール部とによって形成された収納部を有する三方シール包装袋であって、
いずれか一つのシール部に２つの開封開始部を有し、そのいずれか一方の開封開始部から出発して表裏面の積層体を収納部の外周に沿って該シール部と直角方向に進み、円弧を描いて該シール部と平行な方向に進み、さらに円弧を描いて該シール部と直角な方向に戻り、前記の他方の開封開始部に至るハーフカット線からなる開封誘導線を有することを特徴とする包装袋。
【請求項３】
円弧の半径が３ｍｍ以上１６ｍｍ以下であることを特徴とする請求項１または２に記載の包装袋。
【請求項４】
表裏面の積層体に形成された開封誘導線が平面視において一致していないことを特徴とする請求項１〜３のいずれか１項に記載の包装袋。
【発明の詳細な説明】
【技術分野】
【０００１】
本発明は、軟包装袋に関し、特に貼付剤のような薄い物品を収納した包装袋において、手の力の弱い人でも容易に開封して内容物を取り出すことが出来る易開封性包装袋に関する。
【背景技術】
【０００２】
医薬品用の包装袋のように、内容物の保存性を重視する包装袋にあっては、酸素や水蒸気や光等の影響を少なくするために、アルミニウム箔を使用した遮光及びガスバリア性包装材料が用いられることが多い。アルミニウム箔を使用した医薬品用包装材料は、厚くて強度も高いため、開封性に劣り、特に手に何らかの障がいがあって手の力が弱かったり、手をうまく動かせない人には開封しづらいという問題があった。
【０００３】
包装袋に易開封性を付与する方法としては、従来より種々の検討がなされてきた。特許文献１に記載された包装袋は、交差する２方向に開封可能な包装袋である。この包装袋は、交差する２方向にミシン目状の開封助成部を設けていた従来の包装袋において、ピンホールが発生しやすいという問題を解決しようとしたものであり、縦方向を積層フィルムの易引裂方向とし、これに直交する方向に開封用切れ目を設けたものである。
【０００４】
特許文献１に記載された包装袋は、積層フィルムの同一面内に２本の切れ目線が交差していないため、ピンホールが発生し難いものではあるが、積層フィルムの易引裂方向を開封に利用する方法は、本質的に開封の安定性に欠け、しばしば開封位置がずれて、本来開封すべき位置が開封できないという問題を内包しているものである。また、縦方向と横方向の２方向から開封しなければならないため、２動作が必要であり、開封しやすいとは言えない物である。
【０００５】
一方、開封後に内容物を取り出すに当たっての問題点も存在する。内容物に厚みがあって、開封した時点で内容物の周囲に自然に空気層ができるような内容物であれば特に取り出し性に関する問題は生じないが、厚さが薄いシート状の内容物、例えば貼付剤のような物の場合、開封しても表裏の積層体と内容物とが密着していて、容易に取出すことができないことが多かった。
【０００６】
特許文献２に記載された包装用袋は、貼付剤用の包装用袋であって、貼付剤を取り出し易く工夫したものである。特許文献２に記載された包装用袋は、表裏面の包装フィルムに異なる形状の開封線を形成し、裏面側は直線的に切断され、表面側は四分円状に切断されるようにしたことで、貼付剤の角部が露出するようにしたものである。しかしながら、特許文献２に記載された包装用袋を実際に開封してみると、開封の際に切られた部分が邪魔になり内容物の取出しが必ずしも容易ではないことが分かった。
【先行技術文献】
【特許文献】
【０００７】
【特許文献１】特開２０１５−５８９５２号公報
【特許文献２】特開２０１０−３０６５１号公報
【発明の概要】
【発明が解決しようとする課題】
【０００８】
本発明の解決しようとする課題は、貼付剤のように厚さの薄いシート状の内容物を収納した包装袋において、手の力の弱い人あるいは手がうまく動かせない人でも１動作で確実
に容易に開封することができる易開封性包装袋を提案するものである。
【課題を解決するための手段】
【０００９】
上記の課題を解決するための手段として、請求項１に記載の発明は、それぞれ基材層とアルミニウム箔層とシーラント層を有する表面積層体と裏面積層体のシーラント層同士を対向させ、左右両側端部を熱シールした一対のサイドシール部と、上端部を熱シールしたトップシール部と、下端部を熱シールしたボトムシール部とによって形成された収納部を有する四方シール包装袋であって、いずれか一つのシール部に２つの開封開始部を有し、そのいずれか一方の開封開始部から出発して表裏面の積層体を収納部の外周に沿って該シール部と直角方向に進み、円弧を描いて該シール部と平行な方向に進み、さらに円弧を描いて該シール部と直角な方向に戻り、前記の他方の開封開始部に至るハーフカット線からなる開封誘導線を有することを特徴とする包装袋である。
【００１０】
また、請求項２に記載の発明は、基材層とアルミニウム箔層とシーラント層を有する積層体を縦方向の折曲線に沿って折り曲げてシーラント層同士を対向させ表裏面の積層体となし、側端部を熱シールしたサイドシール部と、上端部を熱シールしたトップシール部と、下端部を熱シールしたボトムシール部とによって形成された収納部を有する三方シール包装袋であって、いずれか一つのシール部に２つの開封開始部を有し、そのいずれか一方の開封開始部から出発して表裏面の積層体を収納部の外周に沿って該シール部と直角方向に進み、円弧を描いて該シール部と平行な方向に進み、さらに円弧を描いて該シール部と直角な方向に戻り、前記の他方の開封開始部に至るハーフカット線からなる開封誘導線を有することを特徴とする包装袋である。
【００１１】
本発明に係る包装袋は、一つのシール部に２つの開封開始部を有し、この２つの開封開始部から同時に開封することにより、１動作で内容物と、これを表裏面から挟む積層体とを切り取ることができるため、極めて開封性が良好である。
【００１２】
また、請求項３に記載の発明は、円弧の半径が３ｍｍ以上１６ｍｍ以下であることを特徴とする請求項１または２に記載の包装袋である。
【００１３】
また、請求項４に記載の発明は、表裏面の積層体に形成された開封誘導線が平面視において一致していないことを特徴とする請求項１〜３のいずれか１項に記載の包装袋である。
【発明の効果】
【００１４】
本発明に係る包装袋は、一つのシール部に２つの開封開始部を有し、この２つの開封開始部から同時に開封することにより、１動作で内容物と、これを表裏面から挟む積層体とを切り取ることができるため、極めて開封性が良好である。このため、シート状の取り出し難い内容物も容易に取出すことができる。また、切り出された内容物は表裏面を積層体に挟まれているので、内容物が露出することがなく、医薬品等を収納した場合であっても衛生的である。
【００１５】
本発明に係る包装袋における開封誘導線の配置は、請求項１に記載したような四方シール包装袋においても、請求項２に記載したような三方シール包装袋においても同様に適用することができる。
【００１６】
積層体をアルミニウム箔層を含むものとしたことにより、特に開封誘導線をレーザー加工機で描画形成する際に、安定して基材層のみをハーフカット加工することができる。
【００１７】
請求項３に記載の発明のように、円弧の半径が３ｍｍ以上１６ｍｍ以下である場合には
、２つの開封開始部から出発した積層体の裂け目が開封誘導線から逸脱し難く、より確実に開封が行える。
【００１８】
また請求項４に記載の発明のように、表裏面の積層体に形成された開封誘導線が平面視において一致していない場合には、切り取られた内容物の表裏面を覆っている表裏面の積層体の端部がずれる結果となり、両者を引き剥がして、内容物を取り出す動作が、よりやり易くなる。
【図面の簡単な説明】
【００１９】
【図１】図１は、本発明に係る包装袋の第一の実施形態を模式的に示した平面説明図である。
【図２】図２は、図１に示した包装袋を開封した状態を模式的に示した平面説明図である。
【図３】図３は、本発明に係る包装袋の第二の実施形態の一例を模式的に示した平面説明図であり、開封開始部がサイドシール部にある例である。
【図４】図４は、本発明に係る包装袋の第二の実施形態の他の例を模式的に示した平面説明図であり、開封開始部がトップシール部にある例である。
【図５】図５は、本発明に係る包装袋の第四の実施形態の一例を模式的に示した平面説明図である。
【図６】図６は、実施例２の包装袋の平面模式図である。
【図７】図７は、比較例１の包装袋の平面模式図である。
【図８】図８は、本発明に係る包装袋に用いる積層体の層構造を模式的に示した断面説明図である。
【発明を実施するための形態】
【００２０】
以下図面を参照しながら、本発明に係る包装袋について詳細に説明する。図１は、本発明に係る包装袋の第一の実施形態を模式的に示した平面説明図である。図２は、図１に示した包装袋を開封した状態を模式的に示した平面説明図である。また図８は、本発明に係る包装袋に用いる積層体の層構造を模式的に示した断面説明図である。
【００２１】
本発明に係る包装袋１は、図８に示したように基材層２１とアルミニウム箔層２２とシーラント層２３を有する積層体２０のシーラント層同士を対向させ、図１に示したように左右両側端部を熱シールした一対のサイドシール部３、４と、上端部を熱シールしたトップシール部２と、下端部を熱シールしたボトムシール部５を有する四方シール包装袋である。図１の例では包装袋１に、シート状の内容物３０が収納されている。
【００２２】
本発明に係る包装袋１は、いずれか一つのシール部（図１の例ではサイドシール部４）に２つの開封開始部７ａ、７ｂを有し、そのいずれか一方の開封開始部から出発して表裏面の積層体を収納部６の外周に沿ってこの例ではサイドシール部４と直角方向に進み、円弧を描いてサイドシール部４と平行な方向に進み、さらに円弧を描いてサイドシール部４と直角な方向に戻り、前記の他方の開封開始部に至るハーフカット線からなる表面開封誘導線８と、裏面開封誘導線９を有することを特徴とする包装袋である。
【００２３】
図２は、図１に示した包装袋１を開封した状態を模式的に示した平面説明図である。開
封開始部７ａ、７ｂから出発した表裏面の積層体の裂け目は、表裏面の積層体に設けられた開封誘導線８、９に沿って進み、表裏面で同様の経路を経ていずれかの場所で一致する。このため図２に示したように、２つの開封開始部７ａ、７ｂが存在していたサイドシール部４を残して、すべてのシール部が切り取られて完全に除去される。このため、内容物３０を極めて容易に取出すことができる状態となる。
【００２４】
図２に示したように、内容物３０は、表裏面を表面積層体と裏面積層体とによって挟まれた状態であり、サイドシール部４以外には、周囲にシール部が一切残っていない。このため、表裏面の積層体を観音開きのように開くことが可能であり、内容物３０を極めて容易に取出すことができる。また内容物３０は、表裏面を積層体によって挟まれているので、医薬品等を収納した場合であっても、衛生的に取り扱うことができる。
【００２５】
図１、２に示した例では開封開始部７ａ、７ｂがサイドシール部４に存在しているが、開封開始部の位置は他のどこのシール部であっても良い。どこのシール部に存在していても、開封動作としては、同様に行うことができる。従って、開封する人の手の動かし易さに応じて、右側からでも左側からでも自由に選択することができる。
【００２６】
図３は、本発明に係る包装袋１の第二の実施形態の一例を模式的に示した平面説明図である。この例では、積層体を縦方向の折曲線１０に沿って折り曲げてシーラント層同士を対向させ、側端部を熱シールしたサイドシール部４と、上端部を熱シールしたトップシール部２と、下端部を熱シールしたボトムシール部５を有する三方シール包装袋である。図では、これにシート状の内容物３０が収納されている。
【００２７】
図３に示した本実施形態の例においては、サイドシール部４に２つの開封開始部７ａ、７ｂを有し、いずれか一方の開封開始部から出発して表裏面の積層体を収納部６の外周に沿ってサイドシール部４と直角方向に進み、円弧を描いてサイドシール部４と平行な方向に進み、さらに円弧を描いてサイドシール部４と直角な方向に戻り、他方の開封開始部に至るハーフカット線からなる表面開封誘導線８と、裏面開封誘導線９を有することを特徴とする。
【００２８】
図３に示した例では、開封開始部７ａ、７ｂがサイドシール部４に設けられているが、図４に示した例では、開封開始部７ａ、７ｂがトップシール部２に設けられている。このように、２つの開封開始部７ａ、７ｂを設けるシール部は、三方シール袋の３つのシール部のうちのどのシール部であっても良い。開封開始部がどこのシール部に存在していても、開封動作としては、同様に行うことができる。従って、開封に当たっては開封する人の手の動かし易さに応じて、右側からでも左側からでも自由に選択することができるのは、四方シール袋の場合と同様である。
【００２９】
開封誘導線８、９のコーナー部における円弧の半径については特に制約はないが、実験的に３ｍｍ以上、１６ｍｍ以下であることが、より望ましいことが分かっている。半径が３ｍｍ未満であるとコーナー部において積層体の裂け目が開封誘導線を逸脱する可能性が高くなる。特に勢い良く開封したような場合に逸脱しやすいが、ゆっくり通過するようにすれば、問題なく開封できる。半径が１６ｍｍを超えるような場合には、実質的な収納スペースが減少する結果、開封誘導線と内容物とが干渉する惧れがある。
【００３０】
図１、３、４に示した例では表裏面の積層体に設けられた開封誘導線８、９が平面視において同様の場所に形成されている。本発明に係る包装袋においては、開封動作によって表裏面の積層体がしごかれるように開封されるので、開封後に表裏面の積層体が密着して剥がし辛いという事態は生じ難い。しかし内容物によっては、剥がし難い場合もあるので、そのような場合には、図５に示した例のように、表裏面の積層体に形成する開封誘導線８、９を、平面視において一致しないように形成することにより、剥がし易さが確実なものとなる。これは、表裏の積層体の切り口が一致していないため、開封後に切断面を開くことが容易に行えるからである。従って薄いシート状の内容物で、表裏面の積層体が密着し易いような内容物であっても、容易に取出すことができる。
【００３１】
なお開封開始部７ａ、７ｂは、図１〜５ではシール部に設けたＶ字状のカットであるが、Ｕ字状やＩ字状等、その形状は任意である。
【００３２】
医薬品であるシップ薬や経皮吸収薬等の貼付薬や、口腔内崩壊剤（ＯＤフィルム）等は、シート状であるため、表裏面の積層体に付着し易く、従って取り出し難いものであるが、本発明に係る包装袋は、このような用途に適したものである。また、これらの医薬品を使用する患者は、しばしば手が不自由である場合があり、開封や取り出しに困難が伴うものであるが、本発明に係る包装袋は、このような手の不自由な人にとっても開封、取り出しが容易にできる。
【００３３】
図８は、本発明に係る包装袋１に用いる積層体２０の層構造を模式的に示した断面説明図である。この例では、基材層２１とアルミニウム箔層２２とシーラント層２３が含まれている。これらの各層の積層は、通常接着剤を用いたドライラミネート法や、接着性樹脂の押出しラミネート法によるが、図では接着剤層や接着性樹脂層は省略されている。
【００３４】
基材層２１としては、各種合成樹脂フィルムが使用可能である。具体的には、ポリプロピレン樹脂（ＰＰ）、ポリエチレンテレフタレート樹脂（ＰＥＴ）、ポリブチレンテレフタレート樹脂（ＰＢＴ）等のポリエステル系樹脂、セロハン、三酢酸セルロース（ＴＡＣ）樹脂等のセルロース系樹脂、ポリメチルメタアクリレート樹脂（ＰＭＭＡ）、アイオノマー樹脂、ナイロン−６、ナイロン−６６等のポリアミド系樹脂、ポリスチレン系樹脂（ＰＳ）、ポリ塩化ビニル樹脂（ＰＶＣ）、ポリ塩化ビニリデン樹脂（ＰＶＤＣ）、ポリカーボネート樹脂（ＰＣ）、フッ素系樹脂等の各種合成樹脂フィルム等を使用することが出来る。基材層２１が印刷を伴う場合には、印刷適性を考慮して延伸ＰＥＴ樹脂フィルム（ＰＥＴ）や延伸ＰＰ樹脂フィルム（ＯＰＰ）、延伸ナイロンフィルム（ＯＮｙ）等のテンションに対して伸び難い材料を用いることが望ましい。
【００３５】
アルミニウム箔層２２としては、厚さ６μｍ〜２０μｍ程度のアルミニウム合金箔を用いる。シーラント層２３としては、ポリオレフィン系樹脂が一般的に使用される。具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−ビニルアルコール共重合体（ＥＶＯＨ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等が使用される。
【００３６】
開封誘導線は、基材層に設けたハーフカット線であり、アルミニウム箔層やシーラント層に及ばないことで、包装材のガスバリア性を損なうことがない。開封誘導線の加工方法としては、ダイカッターなどの刃物を用いたハーフカットでも良いが、炭酸ガスレーザーを用いたレーザー加工により、より効率的かつ安全に行うことができる。積層体２０にアルミニウム箔層２２が存在することで、基材層２１のみを安定的に除去することができるからである。
【００３７】
炭酸ガスレーザー加工機を用いて開封誘導線を形成する際には、表裏面の積層体に対して表裏面の開封誘導線を同時に１工程で行うのが望ましい。そうすることで、表面開封誘
導線の始点、終点と裏面開封誘導線の始点、終点を一致させることが容易となる。以下実施例に基いて、本発明に係る包装袋についてさらに具体的に説明する。
【実施例】
【００３８】
＜実施例１＞
基材層として厚さ１２μｍのＰＥＴフィルムを用い、アルミニウム箔層として厚さ７μｍの軟質アルミニウム箔を用い、シーラント層として厚さ３０μｍのＥＶＯＨフィルムを用い、ドライラミネートにより積層して積層体を得た。
【００３９】
この積層体のＰＥＴ面に炭酸ガスレーザーマーカーを用いて、図１に示したような形状でコーナー部の半径が１０ｍｍの開封誘導線を加工した後、内容物として一辺２５ｍｍの厚紙を挿入し、幅５ｍｍのシールバーを用いて温度１８０℃、０．２ＭＰａの圧力で４辺をシールし、さらにサイドシール部に開封開始部となるＶノッチを設けて、包装袋とした。包装袋の寸法は、一辺５０ｍｍとした。
【００４０】
＜実施例２＞
実施例２として、表面開封誘導線、裏面開封誘導線とも図６に示したようにコーナー部の半径ｒを２０ｍｍとした以外は、実施例１と同様にして包装袋を作成した。
【００４１】
＜比較例１＞
比較例１として、表面開封誘導線、裏面開封誘導線とも図７に示したように同じ直線状とし、コーナー部の半径ｒをゼロすなわち直角状とした以外は、実施例１と同様にして包装袋を作成した。
【００４２】
Ａ〜Ｅの５名のパネラーに、実施例と比較例の包装袋を開封して内容物を取り出す操作を実施して貰い、開封性と中身の取出し易さについて１０段階での官能評価を行って貰った。その結果を表１に示す。
【００４３】
【表１】
2020083350.tif 000003
【００４４】
この結果から、開封誘導線のコーナー部が円弧状でない比較例１では、開封性、取出し易さとも劣る結果となった。またコーナー部のｒが１０ｍｍである実施例１が最も良い結果を示した。
【符号の説明】
【００４５】
１・・・包装袋
２・・・トップシール部
３・・・サイドシール部
４・・・サイドシール部
５・・・ボトムシール部
６・・・収納部
７ａ、７ｂ・・・開封開始部
８・・・表面開封誘導線
９・・・裏面開封誘導線
１０・・・折曲線
ｒ・・・円弧の半径
２０・・・積層体
２１・・・基材層
２２・・・アルミニウム箔層
２３・・・シーラント層
３０・・・内容物
【図１】
2020083350.tif 000004
【図２】
2020083350.tif 000005
【図３】
2020083350.tif 000006
【図４】
2020083350.tif 000007
【図５】
2020083350.tif 000008
【図６】
2020083350.tif 000009
【図７】
2020083350.tif 000010
【図８】
2020083350.tif 000011